(57)【要約】【課題】キャリア基板が薄い場合であっても、樹脂インサート部の径方向の外れや表裏方向の抜けなどの脱落を防ぐことが可能なワークキャリアを提供する。【解決手段】金属製のキャリア基板１に形成されたワーク保持孔２の内周面に沿って樹脂インサート部３が設けられたワークキャリアである。  そして、ワーク保持孔の外縁部１３となるキャリア基板には、周方向に交互に、表裏方向にそれぞれ窪む表側凹部４Ａと裏側凹部４Ｂとが形成され、表側凹部及び裏側凹部には、樹脂インサート部の径方向の移動を阻止する円柱部４２が設けられている。さらに、表側凹部及び裏側凹部並びにワーク保持孔の内周面に沿った部分に樹脂インサート部となる合成樹脂材が充填されている。【選択図】図１Ａ
2018058176.tif 000002
【特許請求の範囲】
【請求項１】
金属製のキャリア基板に形成されたワーク保持孔の内周面に沿って樹脂インサート部が設けられたワークキャリアであって、
前記ワーク保持孔の外縁部となる前記キャリア基板には、周方向に交互に、表裏方向にそれぞれ窪む表側凹部と裏側凹部とが形成され、
前記表側凹部及び裏側凹部には、前記樹脂インサート部の径方向の移動を阻止する抵抗部が設けられているとともに、前記表側凹部及び裏側凹部並びに前記ワーク保持孔の内周面に沿った部分に樹脂インサート部となる合成樹脂材が充填されていることを特徴とするワークキャリア。
【請求項２】
前記表側凹部と前記裏側凹部とは、周方向に間隔を置いて設けられていることを特徴とする請求項１に記載のワークキャリア。
【請求項３】
前記抵抗部は、前記表側凹部及び裏側凹部の底面に設けられる突起部又は穴部であって、前記突起部の周囲又は前記穴部の内部には前記樹脂インサート部の一部が充填されていることを特徴とする請求項１又は２に記載のワークキャリア。
【請求項４】
前記抵抗部として、前記表側凹部及び裏側凹部の前記ワーク保持孔の中心側に狭隘部が設けられていることを特徴とする請求項１乃至３のいずれか一項に記載のワークキャリア。
【請求項５】
請求項１乃至４のいずれか一項に記載のワークキャリアの製造方法であって、
前記キャリア基板の表面及び裏面を所定の描画パターンでマスキングをする工程と、
マスキングされた前記キャリア基板にエッチング液を付着させる工程と、
前記エッチング液によって加工された前記キャリア基板に対して前記樹脂インサート部を設ける工程とを備えたことを特徴とするワークキャリアの製造方法。
【発明の詳細な説明】
【技術分野】
【０００１】
本発明は、酸化物ウエーハ、シリコンウエーハ、ガラス、サファイア、セラミックス、水晶等の薄板状のワークを研磨装置によって研磨加工する際に、ワークの保持に使用されるワークキャリア及びワークキャリアの製造方法に関するものである。
【背景技術】
【０００２】
シリコンウエーハなどのワークの両面又は片面を研磨装置によって研磨加工する際に、ワーク保持孔を有するワークキャリアにワークを保持させることが知られている（特許文献１−４など参照）。
【０００３】
ワークキャリアの本体となるキャリア基板は、ＳＫ鋼やステンレス鋼といった硬質の金属素材によって形成されているため、キャリア基板に穿孔されたワーク保持孔に直接、ワークを保持させると、研磨加工中にワークがワーク保持孔の内周面に接触し、ワークに割れや欠けなどの損傷が生じるおそれがある。
【０００４】
そこで、特許文献１−４に開示されているように、ワーク保持孔の内周面に沿って合成樹脂製の軟質のインサートを取り付け、研磨加工中のワークの損傷を防ぐ処理が行われている。
【０００５】
特許文献１には、ワーク保持孔の内周面に周方向に間隔を置いて突出部を設け、射出成型によって突出部間にも樹脂部が充填されるようにすることで、樹脂部を金属板に一体化させることが記載されている。さらに、突出部の上方部及び下方部に面取り部を形成することで、樹脂部が上下方向に抜けて脱落するのを防ぐことができる構造となっている。
【０００６】
また、特許文献２には、キャリア基板のワーク保持孔の内周面に沿って溝を設け、その溝に合成樹脂材が入り込むように射出成型することによって、軟質のリング状のインサートを設けることが記載されている。
【０００７】
一方、特許文献３には、ワーク保持孔を形成するキャリア本体の内壁面を、径方向に凹形状とすることで、インサートの上面部と下面部の径方向の長さを短くして、インサートの摩耗や変形を少なくする構造が記載されている。
【０００８】
さらに、特許文献４には、薄物のワークの研磨加工に使用するための金属キャリアが開示されている。この金属キャリアのワーク保持孔にも樹脂コート保持部（インサート）が設けられるが、樹脂コート保持部が剥がれないように、金属キャリアに小径の穴を設け、その穴に樹脂コート保持部の一部となる樹脂が充填されるようにしている。
【先行技術文献】
【特許文献】
【０００９】
【特許文献１】特開２００２−１８７０８号公報
【特許文献２】特開２００９−１２０８６号公報
【特許文献３】特開２０１０−１７９３７５号公報
【特許文献４】実用新案登録第３０８６５９１号公報
【発明の概要】
【発明が解決しようとする課題】
【００１０】
しかしながら特許文献１，２に開示されたワークキャリアは、キャリア基板のワーク保持孔の内周面を平面視凹凸に加工しており、突出部となる部分の上面や下面に面取りをして厚さを薄くすると、突出部が変形しやすくなる。このため、このような加工は、特許文献４に開示されているような薄物用のワークキャリアには、適用することが難しい。
【００１１】
そこで、本発明は、キャリア基板が薄い場合であっても、樹脂インサート部の径方向の外れや表裏方向の抜けなどの脱落を防ぐことが可能なワークキャリア及びワークキャリアの製造方法を提供することを目的としている。
【課題を解決するための手段】
【００１２】
前記目的を達成するために、本発明のワークキャリアは、金属製のキャリア基板に形成されたワーク保持孔の内周面に沿って樹脂インサート部が設けられたワークキャリアであって、前記ワーク保持孔の外縁部となる前記キャリア基板には、周方向に交互に、表裏方向にそれぞれ窪む表側凹部と裏側凹部とが形成され、前記表側凹部及び裏側凹部には、前記樹脂インサート部の径方向の移動を阻止する抵抗部が設けられているとともに、前記表側凹部及び裏側凹部並びに前記ワーク保持孔の内周面に沿った部分に樹脂インサート部となる合成樹脂材が充填されていることを特徴とする。
【００１３】
ここで、前記表側凹部と前記裏側凹部とは、周方向に間隔を置いて設けられていることが好ましい。また、前記抵抗部は、前記表側凹部及び裏側凹部の底面に設けられる突起部又は穴部であって、前記突起部の周囲又は前記穴部の内部には前記樹脂インサート部の一部が充填されている構成とすることができる。
【００１４】
また、前記抵抗部として、前記表側凹部及び裏側凹部の前記ワーク保持孔の中心側に狭隘部が設けられている構成とすることができる。
【００１５】
さらに、ワークキャリアの製造方法の発明は、前記キャリア基板の表面及び裏面を所定の描画パターンでマスキングをする工程と、マスキングされた前記キャリア基板にエッチング液を付着させる工程と、前記エッチング液によって加工された前記キャリア基板に対して前記樹脂インサート部を設ける工程とを備えたことを特徴とする。
【発明の効果】
【００１６】
このように構成された本発明のワークキャリアは、表裏方向にそれぞれ窪む表側凹部と裏側凹部とをワーク保持孔の外縁部の周方向に交互に設ける。このため、表側凹部及び裏側凹部に充填された合成樹脂材によって、樹脂インサート部の表裏方向の抜けを防ぐことができる。
【００１７】
また、表側凹部と裏側凹部には、樹脂インサート部の径方向の移動を阻止する抵抗部が設けられる。このため、樹脂インサート部の径方向の外れを防ぐことができる。
【００１８】
そして、表側凹部及び裏側凹部は、ワーク保持孔の中心に向けて径方向に突出していないため、キャリア基板が薄い場合であっても適用することができる。特に、表側凹部と裏側凹部とを周方向に間隔を置いて設けることで、表側凹部と裏側凹部の両側に全厚のキャリア基板が残されることになって、より変形を生じ難くすることができる。
【００１９】
例えば、抵抗部として表側凹部及び裏側凹部の底面に突起部又は穴部を設け、その周囲又は穴部の内部に樹脂インサート部の一部を充填することで、樹脂インサート部の径方向の移動を確実に抑えて、キャリア基板との一体性を高めることができる。
【００２０】
また、抵抗部として、表側凹部及び裏側凹部のワーク保持孔の中心側に狭隘部を設けることで、樹脂インサート部の径方向の移動を確実に抑えて、キャリア基板との一体性を高めることができる。
【００２１】
さらに、ワークキャリアの製造方法の発明であれば、所定の描画パターンでマスキングされたキャリア基板にエッチング液を付着させることでエッチング加工をし、樹脂インサート部を設ける工程を経ることで、キャリア基板と樹脂インサート部との一体性が高いワークキャリアを効率的に製造することができる。
【図面の簡単な説明】
【００２２】
【図１Ａ】本実施の形態のワークキャリアのワーク保持孔の外縁部付近を拡大して説明する平面図である。
【図１Ｂ】本実施の形態のワークキャリアのワーク保持孔の外縁部付近を拡大して説明する斜視図である。
【図２】ワークキャリアの概略構成を説明する平面図である。
【図３Ａ】本実施の形態のワークキャリアの製造方法の工程を説明するためのキャリア基板の表側の平面図である。
【図３Ｂ】本実施の形態のワークキャリアの製造方法の工程を説明するためのキャリア基板の裏側の平面図である。
【図４Ａ】図３ＡのＡ−Ａ矢視方向で見た断面図である。
【図４Ｂ】図３ＢのＢ−Ｂ矢視方向で見た断面図である。
【図５】キャリア基板と樹脂インサート部とが一体化された状態を示した斜視図である。
【図６】実施例１のワークキャリアのワーク保持孔の外縁部付近を拡大して説明する斜視図である。
【図７Ａ】実施例１のワーク保持孔の内周面に樹脂インサート部を設けた構成を説明する図４Ａと同じ位置の断面図である。
【図７Ｂ】実施例１のワーク保持孔の内周面に樹脂インサート部を設けた構成を説明する図４Ｂと同じ位置の断面図である。
【図８】実施例２のワークキャリアのワーク保持孔の外縁部付近を拡大して説明する斜視図である。
【図９】実施例２の別のワークキャリアのワーク保持孔の外縁部付近を拡大して説明する斜視図である。
【図１０】実施例３のワークキャリアのワーク保持孔の外縁部付近を拡大して説明する平面図である。
【図１１】実施例３の別のワークキャリアのワーク保持孔の外縁部付近を拡大して説明する平面図である。
【発明を実施するための形態】
【００２３】
以下、本発明の実施の形態について図面を参照して説明する。図１Ａ，１Ｂ及び図２は、本実施の形態のワークキャリア１０の構成を説明する図であって、図２が全体の概略構成を示し、図１Ａ及び図１Ｂがワーク保持孔２の外縁部１３付近を拡大して示している。
【００２４】
ワークキャリア１０は、薄板状のワークの両面又は片面を研磨加工する平面研磨装置に装着して使用される。例えばワークの両面を研磨加工する平面研磨装置は、定盤である上定盤及び下定盤と、この上定盤及び下定盤の中心部に回転自在に配置されたサンギアと、上定盤及び下定盤の外周側に配置されたインターナルギアとを備えている。
【００２５】
そして、図２に示すようなワークキャリア１０は、平面研磨装置の上定盤と下定盤との間に配置される。
ワークキャリア１０は、金属製のキャリア基板１によって円板状の本体が形成される。このキャリア基板１には、例えば複数の円形のワーク保持孔２，・・・が穿孔される。そして、ワーク保持孔２の内周面に沿って樹脂インサート部３が設けられる。
【００２６】
このワークキャリア１０には、外形部１１にサンギア及びインターナルギアに噛合する歯部（図示省略）が設けられており、サンギア及びインターナルギアの回転により自転及び公転していくようになっている。そして、ワークキャリア１０の自転及び公転により、ワークキャリア１０のワーク保持孔２内に配置されたワークの両面が研磨される。
【００２７】
キャリア基板１は、金属板から円板状に切り出される。金属板としては、ステンレス鋼（ＳＵＳ）、高炭素クロム軸受鋼、炭素工具鋼（ＳＫ鋼）、高速度工具鋼、合金工具鋼、高張力鋼、チタンなどが使用できる。
【００２８】
特に、薄板状のワークを研磨加工する場合には、薄いキャリア基板１が使用される。例えば、0.1mmから1.0mm程度の厚さ（表裏方向の高さ）のキャリア基板１が使用される。また、ワークの厚さに応じて0.7mm以下、さらには0.5mm以下の厚さの薄いキャリア基板１が使用される。
【００２９】
一方、樹脂インサート部３は、合成樹脂材によって成形される。合成樹脂材には、ポリアミド（ＰＡ）、ポリアセタール（ＰＯＭ）、ポリイミド（ＰＩ）、ポリ塩化ビニル（ＰＶＣ）、ポリアミドイミド（ＰＡＩ）、ポリカーボネート（ＰＣ）、エポキシ（ＥＰ）などの樹脂や、ガラスエポキシ、布ベークなどの繊維強化プラスチックなどが使用できる。後述するように射出成型によって樹脂インサート部３を設ける場合には、熱可塑性樹脂が使用される。また、熱圧着によって樹脂インサート部３を設ける場合には、熱硬化性樹脂が使用される。
【００３０】
本実施の形態のワーク保持孔２の外縁部１３となるキャリア基板１には、樹脂インサート部３との一体性を高めるために、図１Ａ及び図１Ｂに示すように、周方向に交互に、表裏方向にそれぞれ窪む表側凹部４Ａと裏側凹部４Ｂとが形成される。
【００３１】
表側凹部４Ａは、キャリア基板１の表側から裏側に向けて窪んだ平面視で長方形状に形成される。表側凹部４Ａの表裏方向の深さは、キャリア基板１の厚さの半分程度となる。
【００３２】
一方、表側凹部４Ａからワーク保持孔２の周方向に間隔を置いて設けられる裏側凹部４Ｂは、キャリア基板１の裏側から表側に向けて窪んだ平面視で長方形状に形成される。裏側凹部４Ｂの表裏方向の深さは、キャリア基板１の厚さの半分程度となる。
【００３３】
ここで、表側凹部４Ａと裏側凹部４Ｂとの間は、平面視で離隔しているので、その間には、全厚のキャリア基板１の本体が残存している。すなわち、表側凹部４Ａ及び裏側凹部４Ｂは、ワーク保持孔２の中心側は開放されているが、周方向の両側及び径方向の奥行き側は、キャリア基板１の本体に支持された状態となっている。
【００３４】
また、表側凹部４Ａと裏側凹部４Ｂとには、図１Ｂに示すように円柱部４２が平面視の略中央に設けられる。この円柱部４２は、表側凹部４Ａ（又は裏側凹部４Ｂ）の底面４１から上方（又は下方）に向けて延伸される突起部である。この円柱部４２の高さは、表側凹部４Ａ（又は裏側凹部４Ｂ）の深さと等しくキャリア基板１の半分程度になる。
【００３５】
この円柱部４２の周囲に、図５に示すように、樹脂インサート部３の一部となるように合成樹脂材が充填されて充填部３２が形成されると、円柱部４２は、樹脂インサート部３の径方向の移動を阻止する抵抗部となる。
【００３６】
この抵抗部としての機能の高さ（効果）は、突起部の形状によって異なる。図４Ａ及び図４Ｂに示すように、円柱部４２の奥側（ワーク保持孔２の中心と反対側）の側面と底面４１とがなす角度θは、約９０°である。この角度θが大きくなるほど、樹脂インサート部３のワーク保持孔２の中心方向への移動を阻止する機能は高くなる。この角度θは、７０°以上が好ましいが、より好ましくは９０°以上で、角度θが鈍角になって奥側に傾けば、より強い引っ掛かりとすることができる。また、円柱部４２の側面の形状も、側面視で直線状に限定されるものではなく、曲線状や凹凸がある形状であってもよい。
【００３７】
樹脂インサート部３は、ワーク保持孔２の直径と同程度の直径のリング状に形成される円環部３１と、表側凹部４Ａ及び裏側凹部４Ｂの内空に形成される直方体状の充填部３２，・・・とによって構成される。この円環部３１と充填部３２，・・・とは、合成樹脂材によって一体に成形される。
【００３８】
次に、本実施の形態のワークキャリア１０の製造方法について、図３Ａ，３Ｂ及び図４Ａ，４Ｂを参照しながら説明する。
まず、キャリア基板１の表面及び裏面に、所定の描画パターンでマスキングをする。詳細には、ＣＡＤ／ＣＡＭシステムなどで作成されたデータを使って、レーザープロッタなどから高精度の描画パターンの原版を作成する。
【００３９】
また、キャリア基板１の表面及び裏面に対しては、酸化膜除去のための酸処理又は電解研磨などの前処理を行う。続いて、キャリア基板１の表面及び裏面の全面に、それぞれフォトレジストを塗布する。
【００４０】
そして、描画パターンの原版を用いて、フォトレジストによってコーティングされたキャリア基板１の表面と裏面に露光することで、焼き付けを行う。図示されたマスキング部５Ａ−５Ｄは、焼き付け後に現像して残ったフォトレジスト層を示している。
【００４１】
要するに、キャリア基板１の表面においては、図３Ａ及び図４Ａに示すように、表側凹部４Ａ，・・・以外がマスキング部５Ａとなるとともに、表側凹部４Ａ内の円柱部４２となる箇所がマスキング部５Ｂ，・・・となる。また、キャリア基板１の裏面においては、図３Ｂ及び図４Ｂに示すように、裏側凹部４Ｂ，・・・以外がマスキング部５Ｃとなるとともに、裏側凹部４Ｂ内の円柱部４２となる箇所がマスキング部５Ｄ，・・・となる。
【００４２】
さらに、マスキングされたキャリア基板１の表面及び裏面に対しては、エッチング液を噴霧して付着させる。このエッチング液の付着によって、マスキング部５Ａ−５Ｄ以外のキャリア基板１の露出した面が除去され、表裏方向に窪んだ表側凹部４Ａ及び裏側凹部４Ｂが形成されることになる。
【００４３】
所望する深さまで表側凹部４Ａ及び裏側凹部４Ｂが溶解された段階でマスキング部５Ａ−５Ｄを取り除き、洗浄及び乾燥を行う。ここまでの工程で、図１Ｂに示したように、キャリア基板１のワーク保持孔２の外縁部１３に、中央に円柱部４２を有する表側凹部４Ａ及び裏側凹部４Ｂが形成される。
【００４４】
このようにしてエッチング加工されたキャリア基板１のワーク保持孔２，・・・の内周面に対して、樹脂インサート部３を設ける。樹脂インサート部３は、合成樹脂材の射出成型又は熱圧着によって設けられる。
【００４５】
射出成型では、ワーク保持孔２の内側面となる位置に型枠を設置して、その型枠とキャリア基板１の外縁部１３との間の空間に加熱溶融させた合成樹脂材を射出注入し、冷却によって固化させる。突起部が円柱部４２であれば、合成樹脂材を隙間なくまわり込ませることができる。
一方、熱圧着であれば、プリプレグを積層して所望の形状にし、加熱加圧プレスすることによって、樹脂インサート部３を設けることができる。
【００４６】
次に、本実施の形態のワークキャリア１０及びワークキャリア１０の製造方法の作用について説明する。
このように構成された本実施の形態のワークキャリア１０は、表裏方向にそれぞれ窪む表側凹部４Ａと裏側凹部４Ｂとをワーク保持孔２の外縁部１３の周方向に交互に設ける。
【００４７】
この表側凹部４Ａと裏側凹部４Ｂとに、それぞれ樹脂インサート部３の一部である充填部３２，３２が設けられると、樹脂インサート部３が周方向に移動する（ずれる）ことを防止することができる。
【００４８】
さらに、キャリア基板１の表側と裏側の両方に、周方向に交互に表側凹部４Ａと裏側凹部４Ｂとが形成され、その内空にそれぞれ充填部３２，３２が設けられることにより、キャリア基板１が充填部３２，３２によって挟まれることになるので、キャリア基板１の表裏いずれの方向に対しても樹脂インサート部３が脱落することを防止できるようになる。
例えば射出成型や熱圧着によって樹脂インサート部３を設けた場合、冷却して固化させた際に収縮が起きるが、キャリア基板１の両面に表側凹部４Ａと裏側凹部４Ｂとによる充填部３２，３２が設けられていれば、樹脂インサート部３が多少収縮したとしても脱落を防ぐことができる。
【００４９】
また、表側凹部４Ａと裏側凹部４Ｂには、樹脂インサート部３の径方向の移動を阻止する抵抗部として円柱部４２が設けられる。すなわち、樹脂インサート部３が縮むなどしてワーク保持孔２の中心に向けた径方向のずれが起きそうになっても、円柱部４２が引っ掛かりとなって外れ（剥がれ）を防ぐことができる。
【００５０】
さらに、この円柱部４２は、キャリア基板１自体であって硬質の金属素材によって形成されているため、樹脂インサート部３の移動に対して強い抵抗となって、外れや剥がれを確実に阻止することができる。
【００５１】
そして、表側凹部４Ａ及び裏側凹部４Ｂは、凸歯のようなワーク保持孔２の中心に向けて径方向に突出していないため、キャリア基板１が薄い場合であっても適用することができる。例えば、薄板状のワークの研磨加工に使用される1.0mm以下のキャリア基板１に適用できる。また、さらに薄いワークを研磨加工する場合に使用される0.7mm以下、さらには0.5mm以下の厚さの薄いキャリア基板１であっても、適用することができる。
【００５２】
本実施の形態のワークキャリア１０においては、表側凹部４Ａと裏側凹部４Ｂとを周方向に間隔を置いて設けているため、表側凹部４Ａと裏側凹部４Ｂの両側に、それぞれ全厚のキャリア基板１が残されている。このため、厚さが薄くなる表側凹部４Ａ及び裏側凹部４Ｂは、両側と背面側の三辺で支持されることになって変形が生じ難くなる。
【００５３】
また、キャリア基板１の表面側では表側凹部４Ａ，・・・が周方向に間隔を置いて設けられ、裏面側では裏側凹部４Ｂ，・・・が周方向に間隔を置いて設けられて、それらの内空に合成樹脂材が充填される構成であれば、研磨面に露出する樹脂インサート部３の面積を少なくできる。研磨面に露出された樹脂インサート部３は、研磨加工時にキャリア基板１よりも摩耗や変形が起きやすく、面積（幅）が広いほど剥がれが起きる確率が上がることになる。これに対して、本実施の形態のワークキャリア１０のように樹脂インサート部３の露出面積を少なくできれば、繰り返し研磨加工に使用しても樹脂インサート部３の剥がれを生じ難くすることができる。
【００５４】
さらに、本実施の形態のワークキャリア１０の製造方法であれば、所定の描画パターンでマスキングされたキャリア基板１にエッチング液を付着させることでエッチング加工をし、樹脂インサート部３を設ける工程を経ることで、キャリア基板１と樹脂インサート部３との一体性が高いワークキャリア１０を効率的に製造することができる。
【００５５】
また、射出成型又は熱圧着によって樹脂インサート部３を設けることで、接着剤を使用せずに、キャリア基板１に樹脂インサート部３を取り付けることができる。このため、樹脂インサート部３のみが摩耗、破損又は劣化して交換が必要になった場合には、樹脂インサート部３を加熱するだけで容易に取り除くことができる。
【実施例１】
【００５６】
以下、前記実施の形態で説明したワークキャリア１０とは別の形態の実施例１について、図６，図７Ａ，図７Ｂを参照しながら説明する。なお、前記実施の形態で説明した内容と同一乃至均等な部分の説明については、同一用語又は同一符号を用いて説明する。
【００５７】
前記実施の形態では、抵抗部として表側凹部４Ａ及び裏側凹部４Ｂの底面４１に円柱部４２を設ける場合について説明した。本実施例１では、表側凹部６Ａ及び裏側凹部６Ｂの底面６１に、抵抗部となる穴部として円筒部６２を設ける場合について説明する。
【００５８】
本実施例１のキャリア基板１Ａには、ワーク保持孔２の外縁部１３に設けられる表側凹部６Ａと裏側凹部６Ｂとに、図６に示すように円筒部６２が平面視の略中央に設けられる。この円筒部６２は、表側凹部６Ａ（又は裏側凹部６Ｂ）の底面６１から下方（又は上方）の面に向けて貫通された穴部である。この円筒部６２の深さは、キャリア基板１の半分程度になる。
【００５９】
この円筒部６２の内部に、図７Ａ及び図７Ｂに示すように、樹脂インサート部３Ａの一部となるように合成樹脂材が充填されて柱状部３３１が形成されると、柱状部３３１は、樹脂インサート部３Ａの径方向の移動を阻止する抵抗部となる。
【００６０】
樹脂インサート部３Ａは、リング状に形成される円環部３１と、表側凹部６Ａ及び裏側凹部６Ｂの内空に形成される直方体状の充填部３３，・・・と、円筒部６２，・・・の内部に形成される円柱状の柱状部３３１，・・・とによって構成される。この円環部３１と充填部３３，・・・と柱状部３３１，・・・とは、合成樹脂材によって一体に成形される。
【００６１】
このように構成された実施例１のワークキャリア１０は、表裏方向にそれぞれ窪む表側凹部６Ａと裏側凹部６Ｂとがワーク保持孔２の外縁部１３の周方向に交互に設けられるとともに、表側凹部６Ａ及び裏側凹部６Ｂの円筒部６２には、樹脂インサート部３Ａの一部である柱状部３３１が設けられる。
【００６２】
この円筒部６２の内部に延伸される柱状部３３１は、樹脂インサート部３Ａが縮むなどしてワーク保持孔２の中心に向けた径方向のずれが起きそうになっても、引っ掛かりとなって外れを防ぐ抵抗部となる。
【００６３】
また、実施例１のワークキャリア１０では、表側凹部６Ａ及び裏側凹部６Ｂに設けられる充填部３３，・・・によって周方向の回り止め機能及び表裏方向への抜け防止機能が発揮され、円筒部６２，・・・に設けられる柱状部３３１，・・・によって径方向の移動抑制機能が発揮されるので、キャリア基板１Ａと樹脂インサート部３Ａとの高い一体性を確保することができる。
なお、実施例１のこの他の構成及び作用効果については、前記実施の形態又は他の実施例と略同様であるため説明を省略する。
【実施例２】
【００６４】
以下、前記実施の形態及び実施例１で説明したワークキャリア１０とは別の形態の実施例２について、図８，図９を参照しながら説明する。なお、前記実施の形態又は実施例１で説明した内容と同一乃至均等な部分の説明については、同一用語又は同一符号を用いて説明する。
【００６５】
前記実施の形態では、抵抗部として表側凹部４Ａ及び裏側凹部４Ｂの底面４１に円柱部４２を設ける場合について説明した。本実施例２では、表側凹部４Ｃ及び裏側凹部４Ｄの底面４１に、抵抗部となる突起部としてブロック部４３を設ける場合について説明する。
【００６６】
本実施例２のキャリア基板１Ｂには、ワーク保持孔２の外縁部１３に設けられる表側凹部４Ｃと裏側凹部４Ｄとに、図８に示すように直方体状のブロック部４３が平面視の略中央に設けられる。このブロック部４３は、表側凹部４Ｃ（又は裏側凹部４Ｄ）の底面４１から上方（又は下方）に向けて延伸される突起部である。このブロック部４３の高さは、表側凹部４Ｃ（又は裏側凹部４Ｄ）の深さと等しくキャリア基板１Ｂの半分程度になる。
【００６７】
このように表側凹部４Ｃ及び裏側凹部４Ｄに設けられる突起部の形状は、円柱状に限定されるものではなく、直方体状、多角柱状など様々な形状にすることができる。突起部がいかなる形状であっても、樹脂インサート部３の径方向の移動を阻止する移動抑制機能を発揮させることができる。
【００６８】
一方、実施例２の別の形態として、図９に示すように、表側凹部６Ｃ及び裏側凹部６Ｄの底面６１に、抵抗部となる穴部として溝部６３を設ける場合について説明する。
【００６９】
このキャリア基板１Ｃには、ワーク保持孔２の外縁部１３に設けられる表側凹部６Ｃと裏側凹部６Ｄとに、径方向の略中央を周方向に横断する溝部６３が設けられる。この溝部６３は、表側凹部６Ｃ（又は裏側凹部６Ｄ）の底面６１から下方（又は上方）の面に向けて貫通された直方体状の穴部である。この溝部６３の深さは、キャリア基板１の半分程度になる。
【００７０】
このように表側凹部６Ｃ及び裏側凹部６Ｄに設けられる穴部の形状は、円筒状に限定されるものではなく、直方筒状、多角筒状など様々な形状にすることができる。穴部がいかなる形状であっても、樹脂インサート部３の径方向の移動を阻止する移動抑制機能を発揮させることができる。
なお、実施例２のこの他の構成及び作用効果については、前記実施の形態又は他の実施例と略同様であるため説明を省略する。
【実施例３】
【００７１】
以下、前記実施の形態及び実施例１，２で説明したワークキャリア１０とは別の形態の実施例３について、図１０，図１１を参照しながら説明する。なお、前記実施の形態又は実施例１，２で説明した内容と同一乃至均等な部分の説明については、同一用語又は同一符号を用いて説明する。
【００７２】
前記実施の形態及び実施例１，２では、表側凹部４Ａ，６Ａ，４Ｃ，６Ｃ及び裏側凹部４Ｂ，６Ｂ，４Ｄ，６Ｄの底面４１，６１に突起部（４２，４３）又は穴部（６２，６３）を設けて抵抗部とする場合について説明した。本実施例３では、表側凹部７Ａ及び裏側凹部７Ｂの平面視の形状によって抵抗部を形成する場合について説明する。
【００７３】
本実施例３の抵抗部は、図１０に示すように、表側凹部７Ａ及び裏側凹部７Ｂの傾斜面となる側面７１，７１によって形成される狭隘部である。すなわち側面７１は、ワーク保持孔２の中心側から外側に向けて広がる方向に傾斜している。この結果、表側凹部７Ａ及び裏側凹部７Ｂは、平面視で開放側（ワーク保持孔２の中心側）が狭くなった狭隘部を有することになり、全体では奥側が広い台形状（楔状）に形成される。
【００７４】
ここで、抵抗部としては、表側凹部７Ａ及び裏側凹部７Ｂに、平面視でワーク保持孔２の中心側が狭くなる狭隘部が形成されていればよいため、側面７１は直線的な傾斜面に限定されるものではなく、曲線的であってもよい。例えば、表側凹部７Ａ及び裏側凹部７Ｂを、平面視でＴ字状やＹ字状やフラスコ状に形成することで、ワーク保持孔２の中心側に狭隘部を設けることもできる。
【００７５】
この表側凹部７Ａと裏側凹部７Ｂの内空に、樹脂インサート部３Ｄの一部となるように合成樹脂材が充填されて充填部３４が形成されると、楔状の充填部３４は、狭隘部においてワーク保持孔２の中心側へは移動しにくい状態となって樹脂インサート部３Ｄの径方向の移動を阻止する抵抗部となる。
【００７６】
樹脂インサート部３Ｄは、リング状に形成される円環部３１と、表側凹部７Ａ及び裏側凹部７Ｂの内空に形成される充填部３４，・・・とによって構成される。この円環部３１と充填部３４，・・・とは、合成樹脂材によって一体に成形される。
【００７７】
このように構成された実施例３のワークキャリア１０は、表裏方向にそれぞれ窪む平面視略楔形の表側凹部７Ａと裏側凹部７Ｂとがワーク保持孔２の外縁部１３の周方向に交互に設けられる。
【００７８】
この表側凹部７Ａ及び裏側凹部７Ｂに設けられる平面視略楔形の充填部３４，・・・によって周方向の回り止め機能及び表裏方向への抜け防止機能が発揮されるとともに、径方向の移動抑制機能が発揮されるので、キャリア基板１Ｄと樹脂インサート部３Ｄとの高い一体性を確保することができる。
【００７９】
一方、実施例３の別の形態として、図１１に示すように、キャリア基板１Ｅの平面視略楔形の表側凹部７Ａ及び裏側凹部７Ｂの底面に、抵抗部となる突起部として円柱部７２を設ける場合について説明する。
【００８０】
樹脂インサート部３Ｅは、リング状に形成される円環部３１と、表側凹部７Ａ及び裏側凹部７Ｂの円柱部７２の周囲の内空に形成される充填部３５，・・・とによって構成される。この円環部３１と充填部３５，・・・とは、合成樹脂材によって一体に成形される。
【００８１】
このように傾斜面（側面７１，７１）によって形成される狭隘部による抵抗部と突起部（円柱部７２）による抵抗部とを組み合わせることによって、樹脂インサート部３Ｅの径方向の移動を阻止する移動抑制機能を高めることができる。
【００８２】
また、狭隘部による抵抗部には、穴部による抵抗部を組み合わせることもできる。この場合も、樹脂インサート部３Ｅの径方向の移動を阻止する移動抑制機能を高めることができる。
なお、実施例３のこの他の構成及び作用効果については、前記実施の形態又は他の実施例と略同様であるため説明を省略する。
【００８３】
以上、図面を参照して、本発明の実施の形態及び実施例を詳述してきたが、具体的な構成は、この実施の形態及び実施例に限らず、本発明の要旨を逸脱しない程度の設計的変更は、本発明に含まれる。
【００８４】
例えば前記実施の形態及び実施例では、ワーク保持孔２が円形のワークキャリア１０について説明したが、これに限定されるものではない。例えば長方形（正方形を含む）のワーク保持孔を有するワークキャリアに対しても本発明を適用することができる。要するに、長方形のワーク保持孔の内周面の周方向に交互に、表裏方向にそれぞれ窪む表側凹部と裏側凹部とを形成して、その内周面に沿って長方形の樹脂インサート部を設けることができる。さらに、ワーク保持孔は、円形及び長方形以外の別の形状であってもよい。
【符号の説明】
【００８５】
１０            ワークキャリア
１              キャリア基板
１３            外縁部
２              ワーク保持孔
３              樹脂インサート部
４Ａ            表側凹部
４Ｂ            裏側凹部
４１            底面
４２            円柱部（抵抗部、突起部）
５Ａ−５Ｄ      マスキング部
１Ａ            キャリア基板
３Ａ            樹脂インサート部
６Ａ            表側凹部
６Ｂ            裏側凹部
６１            底面
６２            円筒部（抵抗部、穴部）
１Ｂ，１Ｃ      キャリア基板
４Ｃ，６Ｃ      表側凹部
４Ｄ，６Ｄ      裏側凹部
４３            ブロック部（抵抗部、突起部）
６３            溝部（抵抗部、穴部）
１Ｄ，１Ｅ      キャリア基板
３Ｄ，３Ｅ      樹脂インサート部
７Ａ            表側凹部
７Ｂ            裏側凹部
７２            円柱部（抵抗部、突起部）
【図１Ａ】
2018058176.tif 000003
【図１Ｂ】
2018058176.tif 000004
【図２】
2018058176.tif 000005
【図３Ａ】
2018058176.tif 000006
【図３Ｂ】
2018058176.tif 000007
【図４Ａ】
2018058176.tif 000008
【図４Ｂ】
2018058176.tif 000009
【図５】
2018058176.tif 000010
【図６】
2018058176.tif 000011
【図７Ａ】
2018058176.tif 000012
【図７Ｂ】
2018058176.tif 000013
【図８】
2018058176.tif 000014
【図９】
2018058176.tif 000015
【図１０】
2018058176.tif 000016
【図１１】
2018058176.tif 000017